(57)【要約】【課題】センシング部の応答距離を維持したまま、温度や歪み等の物理量の測定精度を向上させることができる光ファイバセンサを提供する。【解決手段】温度、歪み、圧力等の物理量を測定する光ファイバからなるセンシング部１１と、センシング部１１において物理量を光学的に測定するための光源１３と、センシング部１１からの後方散乱光を検出する光検出器とを備えた光ファイバセンサにおいて、センシング部１１は、複数本の光ファイバ２１を近接して並列に設けると共に、それら複数本の光ファイバ２１を一本の光伝送路として光学的に接続した。【選択図】図１
2008089554.tif 000002
【特許請求の範囲】
【請求項１】
温度、歪み、圧力等の物理量を測定する光ファイバからなるセンシング部と、該センシング部において上記物理量を光学的に測定するための光源と、上記センシング部からの後方散乱光を検出する光検出器とを備えた光ファイバセンサにおいて、上記センシング部は、複数本の光ファイバを近接して並列に設けると共に、それら複数本の光ファイバを光学的に接続して一本の光伝送路を形成してなることを特徴とする光ファイバセンサ。
【請求項２】
上記センシング部は、並列に配置された複数本の光ファイバを備えるテープ光ファイバ或いは光ファイバケーブルを備え、テープ光ファイバ或いは光ファイバケーブルの一端或いは両端で各光ファイバを光学的に接続して一本の光伝送路を形成してなることを特徴とする請求項１記載の光ファイバセンサ。
【請求項３】
上記センシング部は、複数本の光ファイバを並列に設け、それら複数本の光ファイバを光学的に接続して一本の光伝送路を有する１つの光ファイバユニットを形成すると共に、複数の上記光ファイバユニットを光学的に接続して一本の光伝送路を形成してなることを特徴とする請求項１または２記載の光ファイバセンサ。
【請求項４】
上記センシング部は、複数本の光ファイバを備えるテープ光ファイバの各光ファイバを互いに光学的に接続して一本の光伝送路を形成したテープファイバユニットを形成すると共に、複数の上記テープファイバユニットを光学的に接続して一本の光伝送路を形成してなることを特徴とする請求項１または２記載の光ファイバセンサ。
【請求項５】
上記複数本の光ファイバは、光ファイバ先端に接続用ファイバを融着接続し、互いに上記接続用ファイバを介して光学的に接続されることを特徴とする請求項１〜４いずれかに記載の光ファイバセンサ。
【請求項６】
上記センシング部は、上記複数本の光ファイバを一本の光伝送路として光学的に空間接続する機能を有する光路変換部材を上記複数本の光ファイバの一端または両端に設けることを特徴とする請求項１〜４いずれかに記載の光ファイバセンサ。
【請求項７】
上記光路変換部材は、上記複数本の光ファイバのうち所定の光ファイバから出射された出射光を略９０°反射させる第一の反射面と、その第一の反射面での反射光をさらに略９０°反射させ上記所定の光ファイバに隣接する光ファイバに入射させる第二の反射面とを備え、上記第一の反射面と上記第二の反射面は略９０°で交差することを特徴とする請求項６記載の光ファイバセンサ。
【請求項８】
温度、歪み、圧力等の物理量を測定する光ファイバからなるセンシング部と、該センシング部において上記物理量を光学的に測定するための光源と、上記センシング部からの後方散乱光を検出する光検出器とを備えた光ファイバセンサにおいて、
上記センシング部は、一本の光ファイバを１回以上曲げ返して光ファイバユニットを形成すると共に、上記光ファイバユニットを少なくとも１つ有し、上記光ファイバユニットを複数有する場合には上記光ファイバユニットを一本の光伝送路に光学的に接続してなることを特徴とする光ファイバセンサ。
【請求項９】
上記センシング部は、偶数本の光ファイバを一本の光伝送路に光学的に接続してなると共に、一本の光伝送路に光学的に接続した光ファイバの終端に、上記センシング部に入射された光を検出する入射光検出器が接続されることを特徴とする請求項１〜８いずれかに記載の光ファイバセンサ。
【発明の詳細な説明】
【技術分野】
【０００１】
本発明は、光ファイバ中で発生する後方散乱光を検出して温度や歪み等の物理量を測定する光ファイバセンサに関するものである。
【背景技術】
【０００２】
光ファイバを用いて、温度、歪み等の測定を行う光ファイバセンサがあり、その中でも特に、光ファイバのラマン散乱を利用した光ファイバ温度センサが広く普及している。
【０００３】
図１１に示すように、光ファイバセンサ７０は、温度測定箇所に配置される光ファイバ（測定用長距離光ファイバ）で構成されるセンシング部７１と、センサ本体１２とを備える。
【０００４】
センサ本体１２は、光源１３と光検出器１４と分波器１５とを備える。温度を測定する光ファイバ温度センサでは、光検出器１４は２つ設けられ、分波器１５にそれぞれ独立に接続される。
【０００５】
センシング部７１に光源１３からのパルス光信号が伝搬していくと、光ファイバの各箇所で微弱なラマン散乱光が発生する。ラマン散乱光は、光源出射光の波長を中心として、その光源出射光の波長の両側近傍に発生する。長波長側のラマン散乱光はストークス光（Ｓｔ光）、短波長側のラマン散乱光はアンチストークス光（Ａｓ光）と称されるものである。センシング部７１で発生したＳｔ光とＡｓ光との強度比は、センシング部７１の温度に依存する。したがって、被温度測定物の温度によって、センシング部７１の温度が変化し、検知されるＳｔ光とＡｓ光との光強度比が変化する。この光強度比を求めることにより被温度測定物の温度を測定することができる。
【０００６】
また、後方散乱光が光ファイバ中の各点から光検出器１４まで到達する時間（Ｔ，Ｔ＋ΔＴ，Ｔ＋Δ２Ｔ）から散乱した場所、すなわち温度の測定点を特定することができる。
【０００７】
一般的には、ラマン散乱光は、その強度が非常に微弱であるため、光検出器１４で変換された電気信号ではＳ／Ｎ比の悪い信号となる。このため、ラマン散乱光を多数回検出し、検出した多数の電気信号を加算平均化処理することで、Ｓ／Ｎ比を向上させ、温度の測定精度を改善している。
【０００８】
なお、本発明に係る光ファイバセンサの先行技術文献情報としては、次のものがある。
【０００９】
【特許文献１】特開２００３−５７１２６号公報
【発明の開示】
【発明が解決しようとする課題】
【００１０】
一般に、光パルス方式を用いた光ファイバセンサにおいて、物理量の測定精度を向上させるためには、光検出器から出力される信号のＳ／Ｎ比を向上させる必要がある。この方法としては、以下の方法が考えられる。
【００１１】
（１）光源の出力を大きくし、光検出器に戻ってくる後方散乱光の光量を大きくする。
【００１２】
（２）光パルスのパルス幅を大きくし、光検出器に戻ってくる後方散乱光の光量を大きくする。
【００１３】
（３）光検出器の高周波側の遮断周波数を低くすることで、高周波側のノイズを削減する。
【００１４】
（１）の場合には、発生する後方散乱光の光量が大きくなりＳ／Ｎ比が向上するが、光源のコストが増え、さらに光源を発光させるために大電流が必要であるから、より大規模な駆動回路が必要となり、センサ全体のコストが高くなる。
【００１５】
（２）の場合には、信号は大きくなりＳ／Ｎ比が向上するが、光パルスのパルス幅が大きくなるため物理量の応答距離を長くしてしまう。
【００１６】
（３）の場合には、ノイズは小さくなりＳ／Ｎ比が向上するが、時間応答が遅くなるため、物理量の応答距離が長くなる問題がある。距離の情報は、光パルスが出射した時刻から後方散乱光が光検出器に戻ってくる時間で求められる。したがって、応答距離は時間応答に比例することになる。光検出器の高周波側の周波数帯域を狭くすると、時間応答が遅くなるため、結果として応答距離が長くなる（ここで、応答距離は、ステップ状に温度変化した箇所の測定温度の立上り或いは立下り距離と定義する）。光ファイバに入射された光が長さ１ｍの光ファイバを往復（光の伝搬距離２ｍに相当）するのに掛かる時間は約１０ｎｓｅｃとなる。したがって、時間応答が１０ｎｓｅｃであれば、応答距離は１ｍとなる。例えば、高周波側の遮断周波数を低くし、時間応答が２０ｎｓｅｃとなれば、距離応答は２ｍとなる。すなわち、高周波側の帯域を狭くすれば、応答距離が長くなる。
【００１７】
そこで、本発明の目的は、上記課題を解決し、回路が光源等、既存の測定装置はそのままに、安価に構成でき、かつ応答距離を維持したまま、温度や歪み等の物理量の測定精度を向上させることができる光ファイバセンサを提供することにある。
【課題を解決するための手段】
【００１８】
上記目的を達成するために、請求項１の発明は、温度、歪み、圧力等の物理量を測定する光ファイバからなるセンシング部と、該センシング部において上記物理量を光学的に測定するための光源と、上記センシング部からの後方散乱光を検出する光検出器とを備えた光ファイバセンサにおいて、上記センシング部は、複数本の光ファイバを近接して並列に設けると共に、それら複数本の光ファイバを光学的に接続して一本の光伝送路を形成してなる光ファイバセンサである。
【００１９】
請求項２の発明は、上記センシング部は、並列に配置された複数本の光ファイバを備えるテープ光ファイバ或いは光ファイバケーブルを備え、テープ光ファイバ或いは光ファイバケーブルの一端或いは両端で各光ファイバを光学的に接続して一本の光伝送路を形成してなる請求項１記載の光ファイバセンサである。
【００２０】
請求項３の発明は、上記センシング部は、複数本の光ファイバを並列に設け、それら複数本の光ファイバを光学的に接続して一本の光伝送路を有する１つの光ファイバユニットを形成すると共に、複数の上記光ファイバユニットを光学的に接続して一本の光伝送路を形成してなる請求項１または２記載の光ファイバセンサである。
【００２１】
請求項４の発明は、上記センシング部は、複数本の光ファイバを備えるテープ光ファイバの各光ファイバを互いに光学的に接続して一本の光伝送路を形成したテープファイバユニットを形成すると共に、複数の上記テープファイバユニットを光学的に接続して一本の光伝送路を形成してなる請求項１または２記載の光ファイバセンサである。
【００２２】
請求項５の発明は、上記複数本の光ファイバは、光ファイバ先端に接続用ファイバを融着接続し、互いに上記接続用ファイバを介して光学的に接続される請求項１〜４いずれかに記載の光ファイバセンサである。
【００２３】
請求項６の発明は、上記センシング部は、上記複数本の光ファイバを一本の光伝送路として光学的に空間接続する機能を有する光路変換部材を上記複数本の光ファイバの一端または両端に設ける請求項１〜４いずれかに記載の光ファイバセンサである。
【００２４】
請求項７の発明は、上記光路変換部材は、上記複数本の光ファイバの中で所定の光ファイバから出射された出射光を略９０°反射させる第一の反射面と、その第一の反射面での反射光をさらに略９０°反射させ上記所定の光ファイバに隣接する光ファイバに入射させる第二の反射面とを備え、上記第一の反射面と上記第二の反射面は略９０°で交差する請求項６記載の光ファイバセンサである。
【００２５】
請求項８の発明は、温度、歪み、圧力等の物理量を測定する光ファイバからなるセンシング部と、該センシング部において上記物理量を光学的に測定するための光源と、上記センシング部からの後方散乱光を検出する光検出器とを備えた光ファイバセンサにおいて、上記センシング部は、一本の光ファイバを１回以上曲げ返して光ファイバユニットを形成すると共に、上記光ファイバユニットを少なくとも１つ有し、上記光ファイバユニットを複数有する場合には上記光ファイバユニットを一本の光伝送路に光学的に接続してなる光ファイバセンサである。
【００２６】
請求項９の発明は、上記センシング部は、偶数本の光ファイバを一本の光伝送路に光学的に接続してなると共に、一本の光伝送路に光学的に接続した光ファイバの終端に、上記センシング部に入射された光を検出する入射光検出器が接続されることを特徴とする請求項１〜８いずれかに記載の光ファイバセンサである。
【発明の効果】
【００２７】
本発明によれば、センシング部の応答距離を維持したまま、温度や歪み等の物理量の測定精度を向上させることができるという優れた効果を発揮する。
【発明を実施するための最良の形態】
【００２８】
以下、本発明の好適な一実施形態を添付図面に基づいて詳述する。
【００２９】
本発明は、温度、歪み等の物理量の測定を行う光ファイバセンサに係るものであり、本実施の形態では、温度を測定する光ファイバ温度センサについて説明する。
【００３０】
図１は光ファイバセンサの好適な実施の形態を示した回路図である。
【００３１】
図１に示すように、本実施の形態の光ファイバセンサ１０は、センサ本体１２と、温度の測定箇所に配置される光ファイバからなるセンシング部１１とを備える。
【００３２】
センサ本体１２は、センシング部１１において温度を光学的に測定するための源となる光源１３と、光源出射光を透過してセンシング部１１に入射させると共に、センシング部１１で発生した後方散乱光を分波（抽出）する分波器１５と、分波された後方散乱光を受光する光検出器１４とを備える。
【００３３】
さて、図２に示すように、光ファイバセンサ１０では、センシング部１１が、複数本の光ファイバ２１を近接して並列に設けると共に、複数本の光ファイバ２１を一本の光伝送路として光学的に低損失で接続してなることに特徴を有する。
【００３４】
本実施の形態では、センシング部１１は、互いに近接して並列に配置された複数本（図では４本）の光ファイバ２１と、それら光ファイバ２１を一つに覆う長尺なテープ材（テープ状シート）２２とからなるテープ光ファイバ２０を用いて構成される。４本の光ファイバ２１は、テープ光ファイバ２０の両端で、互いに光学的に低損失で接続され、テープ光ファイバ内を２往復する一つの光伝送路を形成する。各光ファイバ２１は、テープ光ファイバ２０端部で通常の光ファイバ（接続用光ファイバ２４）を介して光学的に低損失で接続されている。接続用光ファイバ２４は、光ファイバ２１と同じ特性を有するのが好ましい。一本の光伝送路として接続された光ファイバ２１の終端２５は、外部からの光が入射しないように、かつ、光源から出射されたパルス光信号が反射しないように端面処理される。各光ファイバ２１は、コアにＧｅをドープした一般的な通信用のマルチモードファイバ、或いはシングルモードファイバなどである。各光ファイバ２１の長さは、用途や場所によって適宜選択され、特に限定しないが数メートルから数ｋｍ程度である。
【００３５】
本実施の形態の光ファイバセンサ１０は、センサ本体１２に関して図１１の光ファイバセンサ７０と略同じ機能を有する。例えば、光源１３としては、半導体レーザダイオード（ＬＤ）、光検出器１４としては、アバランシェフォトダイオード（ＡＰＤ）が挙げられる。
【００３６】
光検出器１４は２つ設けられ、分波器１５にそれぞれ独立して接続され、分波器１５により分波された後方散乱光（Ｓｔ光とＡｓ光）をそれぞれ受光する。
【００３７】
また、光源１３及び光検出器１４は、それぞれ図示されない信号処理制御回路に接続される。信号処理制御回路は、ＬＤ駆動の制御や光検出器１４から受信した電気信号（受信信号）の処理等を行うものである。光検出器１４と信号処理制御回路間には、受信信号を増幅、変調するプリアンプと、増幅された受信信号をアナログ信号からデジタル信号に変換するＡ／Ｄ変換器等が接続される。信号処理制御回路には演算処理部が設けられる。演算処理部は、信号処理制御回路に送られた光検出器１４の信号から温度を演算して求める。
【００３８】
次に、本実施の形態の作用を説明する。
【００３９】
センシング部１１に光源１３からのパルス光信号が伝搬していくと、センシング部１１を形成する光ファイバの各箇所でＳｔ光及びＡｓ光を含む後方散乱光が発生し、その後方散乱光を分波器１５でＳｔ光とＡｓ光とに分波し、分波されたＳｔ光とＡｓ光がそれぞれ分波器１５から独立に接続された各光検出器１４で受光される。
【００４０】
受光された光は電気信号に変換され、図示されない他の電気回路で増幅、Ａ／Ｄ変換等されて信号処理制御回路に入力される。信号処理制御回路及び図示されない演算処理部では、Ｓｔ光とＡｓ光との光強度比を用いた以下の計算式
Ｔ（ｘ）＝Ｆ｛Ｉｓ（ｘ）／Ｉａ（ｘ）｝
（Ｆ：温度演算関数、Ｔ（ｘ）：ｘ地点での温度、Ｉｓ（ｘ）：ｘ地点でのＳｔ光強度（光発生量）、Ｉａ（ｘ）：ｘ地点でのＡｓ光強度（光発生量））
或いは、光強度比より予め作製されたデータベース（光強度比と温度との関係）を用いてセンシング部１１の測定点での温度を求める。
【００４１】
さて、本実施の形態では、センシング部１１は４芯のテープ光ファイバ２０を用いて形成されているので、測定箇所Ｐを光ファイバ２１が４回通っている。本実施の形態では、光ファイバ２１のピッチは標準ファイバピッチ０．２５ｍｍであるのでセンシング部の幅方向（図面縦方向）の距離は無視できる。したがって、測定箇所（センシング部１１上の点）Ｐ上で後方散乱した光は各々検出時間遅れを伴って４回検出される。
【００４２】
すなわち、図３に示すように、センシング部１１上の測定箇所Ｐの温度を、一本の光ファイバの４点ａ，ｂ，ｃ，ｄで各々発生する後方散乱光を用いて計測する。各点ａ，ｂ，ｃ，ｄで発生した後方散乱光は、それぞれ光ファイバ２１中を伝搬した距離によって光検出器１４に到着する時間が異なる。
【００４３】
そこで、例えば、センサ本体１２側のテープファイバ２０の端面を基準点とし、基準点で発生した後方散乱光の到達時間をＴ０とし、各光ファイバ２１上の点（例えば、ａ，ｂ…）と、それら光ファイバ２１上の点で発生した後方散乱光の、Ｔ０を基準とする到達時間差（例えば、ΔＴ１、ΔＴ２…）との関係を表すデータベースを予め作成する。温度測定時には、検出した後方散乱光の到達時間（時間差）とデータベースとにより測定点を把握することができる。
【００４４】
温度測定時には、所望の測定箇所（４つの光ファイバ上の測定点）からの後方散乱光を基に、その測定箇所での温度をそれぞれ算出し、得られた結果を平均（加算平均）する。これにより、複数の光ファイバ２１上の点での温度を測定しているので、誤差を低減した精度の高い温度測定を行うことができる。
【００４５】
従来の光ファイバセンサでは、測定精度を高くするべくＳ／Ｎ比を向上させるために、信号処理制御回路が光検出器１４から受信する電気信号の周波数帯域を狭くし、その代わり応答距離が長くなることによる距離分解能の低下といった犠牲を払っていた。
【００４６】
しかしながら、本実施の形態の光ファイバセンサ１０は、所望の測定箇所の温度を複数の光ファイバ上の点で測定しているので、信号処理制御回路が光検出器１４から受信する電気信号の周波数帯域を狭くすることなく、かつ、光パルスのパルス幅を広くすることなく、応答距離を維持したまま、高精度な温度測定を行うことができる。
【００４７】
また、本実施の形態では、従来の光ファイバセンサで用いられるセンサ本体１２を使用することができ、高精度な温度測定ができる光ファイバセンサを容易に低コストで作製することができる。
【００４８】
本実施の形態では、センシング部１１に４本の光ファイバを備える４芯テープ光ファイバ２０を用いたが、互いに接続する光ファイバは２本以上であれば４本に限られない。光ファイバ２１の本数を多くすることで、所望の測定箇所を通る光ファイバ２１上の測定点が多くなり、より高精度に温度の測定を行うことができる。ただし、後方散乱光の強度は微弱であるため、受信信号のＳ／Ｎ比が小さくならないように、光ファイバ２１の距離と本数には一定の制限がある。
【００４９】
また、センシング部１１に光ファイバ２１をテープ材２２で覆ったテープ光ファイバ２０を用いたが、複数本の光ファイバ２１は近接して並列に固定されていればよい。
【００５０】
例えば、テープ状シートの表面に複数本の光ファイバ２１を固定して、センシング部１１を構成してもよい。また、センシング部１１はテープ状に平形に形成されなくてもよく、複数本の光ファイバを備える断面円形の多芯ファイバケーブルを用いてもよい。
【００５１】
さらに、本実施の形態では、複数本の光ファイバ２１を並列に配設し、接続用光ファイバ２４を用いて一本の光伝送路として光学的に低損失で接続したが、一本の長距離光ファイバを１回以上曲げ返し、互いに並列に配置してセンシング部を形成してもよい。
【００５２】
また、図４（ａ）〜図４（ｄ）に示されるように、並列配置した複数本（奇数本が好ましい）の光ファイバ３１を光学的に低損失で接続して一本の光伝送路を有する一つの光ファイバユニット３２を複数形成し、これら光ファイバユニット３２を一本の光ファイバ（ユニット接続用光ファイバ）３３を介して光学的に低損失で接続して一本の光伝送路を有するセンシング部３４を形成してもよい。
【００５３】
一つの光ファイバユニットは、図５に示すように、並列配置された複数本の光ファイバ３１のうち、互いに隣接する光ファイバ同士を接続用光ファイバを用いて光学的に低損失で接続される。光ファイバ３１と接続用光ファイバ３７との光学的接続は融着接続されるのが好ましい。
【００５４】
センシング部３４を配置する際、高い測定精度が必要な部分には光ファイバユニット３２を配置し、測定精度が重要でない部分にはユニット間を接続したユニット接続用光ファイバ３３を配置する。これにより、効率よく長距離の測定が可能となる。
【００５５】
また、図６（ａ）、図６（ｂ）に示すように、複数本の光ファイバ３６を備えるテープ光ファイバ３５の各光ファイバ３６を接続用光ファイバ３７を介して互いに光学的に接続して一本の光伝送路を形成したテープファイバユニット３８を形成してもよい。
【００５６】
図７に示すように、テープファイバユニット３８を用いた場合、ユニット接続用光ファイバ３３を介して複数のテープファイバユニット３８を一本の光伝送路としてセンシング部３９が形成される。このセンシング部３９も、図４（ｄ）の光ファイバユニット３２を光学的に低損失で接続して一本の光伝送路に形成してなるセンシング部３４と同様に、効率よく長距離の測定を行うことができる。
【００５７】
並列に配置された複数の光ファイバは、光ファイバを出射した光信号を反射させて隣接する光ファイバに入射させる光路変換部材を用いて、並列配置された複数の光ファイバを一本の光伝送路となるように光学的に低損失で接続してもよい。
【００５８】
具体的には、図８に示すように、２本の光ファイバの端面に、光路変換部材４１を接して設ける。光路変換部材４１は、透明な材料で形成され、２本の光ファイバの光軸に対してそれぞれ略４５°傾き、かつ互いに向かい合う２面の反射面４２，４３を備える。光路変換部材４１を形成する透明な材料としては、石英ガラス、樹脂（例えば、ポリイミド樹脂）等が挙げられる。反射面４２，４３は、例えば、蒸着やスパッタリング等で金属膜を設けることにより形成される。
【００５９】
一方の光ファイバ３１ａを出射した光は、光路変換部材４１に入射し、第１の反射面４２で反射される。第１の反射面４２は光ファイバ３１ａの光軸に略４５°傾いているため、光ファイバ３１ａを出射した光は略９０°曲げられる。第１の反射面４２で反射した光は他方の反射面（第２の反射面）４３で反射し、再度略９０°曲げられる。予め、２本の光ファイバ３１ａ，３１ｂと２つの反射面４２，４３との位置を適宜調整して光路変換部材４１を形成することで、第２の反射面４３で反射した光は他方の光ファイバ３１ｂに入射する。
【００６０】
以上、光路変換部材４１を介して２本の光ファイバ３１ａ，３１ｂを光学的に低損失で接続することで、光ファイバを用いた融着接続をしなくても、並列配置された２本の光ファイバ３１ａ，３１ｂの光伝送路を一本に接続することができる。
【００６１】
また、図９に示すように、一本の長距離光ファイバ４５を１回以上曲げ返し、曲げ返しの前後で互いに並列になるように配置すると共に、テープ状シート４６等で光ファイバ４５を樹脂または接着剤を用いて固定して光ファイバユニット４７を形成してもよい。
【００６２】
その形成方法としては、例えば、先ずテープ状シート４６上に光ファイバ４５の一部を直線状に配置し、その光ファイバ４５の一部（直線部４５ａ）をテープ状シート４６に接着剤または樹脂を用いて接着固定する。次に、光ファイバ４５をテープ状シート４６の一端４６ａで折り返し、折り返した光ファイバ４５の一部（直線部）４５ｂをテープ状シート４６上に接着固定された光ファイバ４５の直線部４５ａと平行に配置し、同様に接着固定する。さらに、光ファイバ４５をテープ状シート４６の逆側４６ｂの一端で折り返し、順次テープ状シート４６上に光ファイバ４５を平行に接着固定し、光ファイバユニット４７が得られる。
【００６３】
本実施の形態では、ラマン散乱光を用いてセンシング部１１の温度を測定する場合について説明したが、この他に、物理量としてセンシング部１１にかかる歪みを測定する光ファイバ歪み計測用センサとして用いることもできる。その場合、後方散乱光であるブリルアン散乱光の波長シフト量を測定し、その波長シフト量から歪みを求める。
【００６４】
光ファイバ歪み計測用センサとして用いる場合にも、温度センサの場合と同様に、距離分解能を低下させることなく、測定精度を高くすることができる。
【００６５】
次に、他の実施の形態について説明する。
【００６６】
図１０に示すように、本実施の形態の光ファイバセンサの基本的な構成部分は、上述した図１の光ファイバセンサ１０とほぼ同様であり、同一構成部分には、図１の場合と同一の符号を付してあるが、センシング部６１の光ファイバの終端に後方散乱光を検出する光検出器１４とは別の光検出器６３を接続すると共に、その光検出器６３を装置本体６２内に設けた点において異なる。
【００６７】
光ファイバセンサ６０では、偶数本の光ファイバ２１を一本の光伝送路として光学的に低損失で接続すると共に、一本の光伝送路に接続された光ファイバの終端に接続される光検出器（入射光検出器と称する）６３が装置本体６２内に設けられる。すなわち、入射光検出器６３は、光源１３、光検出器（後方散乱光検出器と称する）１４及び分波器１５と共に装置本体６２内に設けられ、分波器１５と入射光検出器６３とがセンシング部６１の光ファイバ２１及び接続用光ファイバ２４を介して接続される。
【００６８】
本実施の形態のセンシング部６１は、偶数本の光ファイバ２１を一本の光伝送路に光学的に低損失で接続してなることが必須であること以外、前実施の形態と同様に形成される。
【００６９】
本実施の形態の光ファイバセンサ６０では、光源１３から出射され、センシング部６１を伝搬して行くパルス光信号は、入射光検出器６３で検出されると共に、光ファイバ２１内で後方散乱して後方散乱光検出器１４で検出される。入射光検出器６３の出力をモニタすることで、光源１３が正常に動作している状態か否か判断することができる。したがって、モニタ結果を光源１３にフィードバックして光源１３の出力制御を行い、光源１３の出射光を安定させることができる。ひいては、光源１３の出射光を安定させることで、正確な物理量の測定を行うことができる。
【図面の簡単な説明】
【００７０】
【図１】本発明に係る好適な一実施形態の光ファイバセンサを示す回路図である。
【図２】センシング部を示す概略図である。
【図３】センシング部の測定点を説明する概念図である。
【図４】（ａ）〜（ｄ）は光ファイバユニットを示す回路図である。
【図５】光ファイバの融着接続を説明する回路図である。
【図６】（ａ）、（ｂ）はテープファイバユニットを示す回路図である。
【図７】図６のテープファイバユニットを用いて構成したセンシング部を示す回路図である。
【図８】光ファイバユニットの変形例を示す回路図である。
【図９】光ファイバユニットの他の変形例を示す回路図である。
【図１０】他の好適な実施の形態の光ファイバセンサを示す回路図である。
【図１１】従来の光ファイバセンサを示す回路図である。
【符号の説明】
【００７１】
１０  光ファイバセンサ
１１  センシング部
１２  センサ本体
１３  光源
１４  光検出器
１５  分波器
２０  テープ光ファイバ
２１  光ファイバ
【図１】
2008089554.tif 000003
【図２】
2008089554.tif 000004
【図３】
2008089554.tif 000005
【図４】
2008089554.tif 000006
【図５】
2008089554.tif 000007
【図６】
2008089554.tif 000008
【図７】
2008089554.tif 000009
【図８】
2008089554.tif 000010
【図９】
2008089554.tif 000011
【図１０】
2008089554.tif 000012
【図１１】
2008089554.tif 000013